(57)【要約】【課題】  各式LCD及びOLEDディスプレーに適用可能である映像グレースケール反応速度を速める方法を提供する。【解決手段】  主に以下のステップを含む。LCD駆動ゲート線を複数区に区分し、複数個のゲート線区に対して、LCDのフレーム間隔時間は複数個の補助間隔に区分され、同時制御信号の時間内において、順番に各区の第一ゲート線を起動し、続いて各区の次のゲート線を起動し、このステップを繰り返し、その内少なくとも一組のゲート線はフレームの駆動を加速する予定電圧を提供し、少なくとも一組のゲート線は映像データのデータ電圧を提供し、フレーム間隔時間全体が終了し、次のフレーム間隔に入るまで上記ステップを繰り返し、時間と空間の分割を通して、LCDは映像グレースケール反応速度を速めることができる。【選択図】図４
2005321701.tif 000002
【特許請求の範囲】
【請求項１】
主に本方法は以下のステップを含み、
1. LCD駆動ゲート線を上から下へとM区に区分し、その総ゲート線数をQ本とし、第一区が含むゲート線数はm1本で、第二区はm2本…第M区はmM本のゲート線を含み、すなわち、
2005321701.tif 000015
で、各区が含むゲート線の数（mi）と総ゲート線数（Q）間の比率は
2005321701.tif 000016
で、よって
2005321701.tif 000017
で、
2. M区ゲート線に対応し、LCDのフレーム間隔時間TはM個補助間隔（sub-interval）に区分され、各補助間隔の間隔時間はそれぞれ
2005321701.tif 000018
、すなわち
2005321701.tif 000019
で、
3. 同時制御信号の時間内において、順番に第一区、第二区…及び第M区の第一ゲート線を起動し、続いて次の同時制御信号の時間内において、順番に第一区、第二区…及び第M区の第二ゲート線を起動し、このステップを繰り返し、K組ゲート線はフレーム加速駆動の予定電圧を提供し、その反応を加速し、J組ゲート線は影像データのデータ電圧を提供し、K,Jは正の整数で、しかもK+J=Mで、
4. フレーム間隔時間T全体が終了するまで上記ステップを繰り返し、その内、第i区の走査完成のフレーム映像は前の区(第i-1区)フレーム映像との距離 ti の時間位相差で、
上述のステップにより、時間（フレーム間隔時間）と空間（ゲート線）の分割を通して、それぞれ予定電圧とデータ電圧を提供し、これによりLCDを迅速に駆動しグレースケール反応速度を速めることを特徴とする映像グレースケール反応速度を速める方法。
【請求項２】
前記比率piはLCDの特性に基づき設定し、固定値、或いは調整可能に設定することができることを特徴とする請求項１記載の映像グレースケール反応速度を速める方法。
【請求項３】
前記Mは2の整数以上で、ディスプレーパネルが生じることができる同時制御信号の最大値以下であることを特徴とする請求項１記載の映像グレースケール反応速度を速める方法。
【請求項４】
前記Mは２から６の間であることを特徴とする請求項３記載の映像グレースケール反応速度を速める方法。
【請求項５】
前記JとKの数量はLCDの反応特性と関連があり、予め測量、観察したその反応曲線に基づき決定することを特徴とする請求項１記載の映像グレースケール反応速度を速める方法。
【請求項６】
前記予定電圧は予め測定したLCDのグレースケール明度変化より求めることを特徴とする請求項１記載の映像グレースケール反応速度を速める方法。
【請求項７】
前記J組ゲート線中より少なくとも一組のゲート線を選択し、前のフレームのデータ電圧に提供することを特徴とする請求項１記載の映像グレースケール反応速度を速める方法。
【請求項８】
前記方法は主動アレイ式LCD及びOLEDディスプレーに適用可能であることを特徴とする請求項１記載の映像グレースケール反応速度を速める方法。
【請求項９】
前記同時制御信号は同時に同一走査区内の複数のゲート線電圧を起動することができ、該ゲート線数の範囲は２から第一区のゲート線数の間であることを特徴とする請求項１記載の映像グレースケール反応速度を速める方法。
【請求項１０】
前記LCDは同時に全てのゲート線を起動されるか、或いはダブル方式で走査を行うこともできることを特徴とする請求項１記載の映像グレースケール反応速度を速める方法。
【発明の詳細な説明】
【技術分野】
【０００１】
本発明は、一種の映像グレースケール反応速度を速める方法の技術分野に属する。特に一種のLCDの走査区を複数区に分割し、同時制御信号時間内において、加速駆動の予定電圧或いはデータ明度維持のデータ電圧を提供し、LCD加速駆動の目的を達成し、グレースケール反応速度を速め、各式LCD及びOLEDディスプレーの画面処理に適用される映像グレースケール反応速度を速める方法に係る。
【背景技術】
【０００２】
人々のLCDに対する要求は、当初はほとんどがその軽量と放射線を放射しない点にあったが、技術の進歩により大画面LCDが発売され、生活や娯楽の各方面に広く運用されるようになると、視野角、反応時間などのパラメーターに対する要求が徐々に高まって来た。LCDは液晶分子材料を基本要素とするが、この種の固態と液態の中間に当たる中間態分子は、外力の作用を受け流動するという液体の特性を具えるばかりでなく、結晶体特有の光学異方向性質をも具える。そのため外からの磁場により液晶の排列状態においてその方向を変えることができ、光線が液晶層を貫通する時の光学特性に変化を生じる。この種の外からの磁場により生じる光の変調現象がいわゆる液晶の光電効果(photoelectric effect)である。
【０００３】
図１、２に示すように、ディスプレーパネル10の上方にはデータコントローラ11を設置し、既に調整されたグレースケール信号データを対応するデータ電圧に転換する。並びに、該データコントローラ11に接続する複数本のデータ線111により、映像信号を該ディスプレーパネル10に出力する。該ディスプレーパネル10の側辺にはゲートコントローラ12を設置し、走査信号を連続して提供する。並びに、該ゲートコントローラ12に接続する複数本のゲート線121により、走査信号を該ディスプレーパネル10に伝送する。該データ線111と該ゲート線121は相互に垂直に交叉しかつ絶縁状態であるため、取囲まれた区域は画素アレイ13となる。
映像信号が該データコントローラ11から送り出されると、データ線D1を経由し、画素アレイ13内のトランジスタQ1のソースを提供する。該ゲートコントローラ12も相対し制御信号を送り出し、ゲート線G1を経由しトランジスタQ1のゲートを提供する。さらに、該画素アレイ13内の回路は該出力電圧値を出力し、画素アレイ13が対応する液晶分子反応を駆動する。該ディスプレーパネル10に位置する２枚のガラス基板間の液晶分子は液晶コンデンサCLC(Capacitor of liquid crystal)を形成する。このコンデンサは次に画面データを更新する時まで電圧を保持することはできないため、さらに蓄電装置CS (Storage capacitor)を設置し、充電されたコンデンサは次に画面データを更新する時まで電圧を保持できるようにする。
【０００４】
LCD性能の良し悪しの指標として反応時間がある。通常はLCDに対して電圧を加えない状態下ではノーマルホワイト(Normally white, NW)とノーマルブラック(Normally black, NB)の２種の状態に分けられる。その内、ノーマルホワイトは指ディスプレーパネルに電圧を加えない状態で光が透過している画面で、つまり明るい画面である。一方、ノーマルブラックはディスプレーパネルに電圧を加えない状態で光を透過しない状態で、つまり黒色画面である。ノーマルホワイトを例とすると、反応時間は以下の２部分に分けられる。
(1)上昇反応時間：電圧を加えた状態下で、LCDの液晶ボックスの明度が90%から10%まで変化する時、液晶が必要とする転換時間を“Tr”とする。
(2)下降反応時間：電圧を加えない状態下で、液晶ボックスの明度が10%から90%まで変化する時、液晶が必要とする回復時間を“Tf”とする。
通常、画面の表示速度が毎秒25個フレーム(frame)を超える時、人の眼は急速に変換する画面を連続画面として捉える。しかし、娯楽高画質のDVDやゲームなどの現在家庭で接する急速移動画面の表示速度は通常、毎秒60個フレーム以上である。言い換えれば、各フレーム間隔（frame interval）時間は1/60=16.67msで、もしLCDの反応時間がこのフレーム間隔時間より長いなら、画面を表示する時に、残像、或いはコマとばしの痕跡が出現し、観賞影像の品質に重大な影響を及ぼす。いかにして反応速度を向上させるかは反応時間に影響を与える素因から考える必要がある。以下の方程式は上昇反応時間Trと下降反応時間Tfの計算方程式である。
2005321701.tif 000003
2005321701.tif 000004
式中のγ1は液晶材料の粘度係数で、
dは液晶ボックス間隙で、
Vは液晶ボックスの駆動電圧で、
Δεは液晶材料の介電係数である。
上記式より明らかなように、粘度係数の低下、液晶ボックス間隙の減少、駆動電圧及び介電係数の上昇の４つの方法はLCD反応時間を減少させることができる。その内、駆動電圧上昇技術はいわゆる”加速駆動”(over drive)技術と呼ばれ、液晶ドライバICにより増加させた電圧を液晶パネル上に伝送し、液晶の電圧を大きくし、これにより、液晶はより早く転換と回復を行い、影像データが表示しようとする明度に迅速に到達する。
図３は異なる駆動電圧下での明度の時間に対する変化曲線である。L1は影像データが表示しようとする明度で、液晶分子を駆動し該明度を表示するデータ電圧V2曲線は22で、この明度に到達するまでの時間はt0である。この明度に到達するまでの時間を短縮するために、予め測定したディスプレーのグレースケール明度変化に基づき、強度を増大した駆動電圧V4を提供する。その曲線は24に示す。このように、表示しようとする明度に到達するまでの時間t0をt1まで短縮することができる。これが”over drive”の技術方法である。
【発明の開示】
【発明が解決しようとする課題】
【０００５】
本発明はover drive概念を利用し、全体的により優れたグレースケール反応速度效果を達成する映像グレースケール反応速度を速める方法を提供するものである。
【課題を解決するための手段】
【０００６】
上記課題を解決するため、本発明は下記の映像グレースケール反応速度を速める方法を提供する。
本発明は主に映像グレースケール反応速度を速める方法を提供し、LCD駆動ゲート線を複数区に分割し、あるフレーム間隔内において同時に複数の走査信号を制御し、順番に各区のゲート線を起動し、それぞれ予定電圧或いはデータ電圧を提供し、より優れた全体效果を達成し、
本発明の方法は以下のステップを含み、
5. LCD駆動ゲート線を上から下へとM区に区分し、その総ゲート線数をQ本とする。第一区が含むゲート線数はm1本で、第二区はm2本…第M区はmM本のゲート線を含む。すなわち、
2005321701.tif 000005
で、各区が含むゲート線の数（mi）と総ゲート線数（Q）間の比率は
2005321701.tif 000006
である。よって
2005321701.tif 000007
で、該比率piはLCDの特性に基づき設定し、固定値、或いは調整可能に設定することができる。該Mは2の整数以上で、ディスプレーパネルが生じることができる同時制御信号の最大値以下である。現在の技術レベルから言えば、Mは２から６の間であることが望ましい。
6. LCDのフレーム間隔時間TはM個補助間隔（sub-interval）に区分される。各補助間隔の間隔時間はそれぞれ
2005321701.tif 000008
、すなわち
2005321701.tif 000009
である。
7. 同時制御信号の時間内において、順番に第一区、第二区…及び第M区の第一ゲート線を起動し、続いて次の同時制御信号の時間内において、順番に第一区、第二区…及び第M区の第二ゲート線を起動し、このステップを繰り返す。K組ゲート線はフレーム加速駆動の予定電圧を提供し、その反応を加速し、J組ゲート線は影像データのデータ電圧を提供する。K,Jは正の整数で、しかもK+J=Mである。JとKの数量はLCDの反応特性と関連があり、予め測量、観察したその反応曲線に基づき決定する。また予定は予め測定したディスプレーのグレースケール明度変化から求める。
8. その内、第i区の走査完成のフレーム映像は前の区(第i-1区)フレーム映像との距離 ti の時間位相差である。
9. フレーム間隔時間T全体が終了するまで上記ステップを繰り返し、該フレーム映像の走査を完成する。
上述のステップにより、時間（フレーム間隔時間）と空間（ゲート線）の分割を通して、並びにそれぞれデータ電圧と黒色画面の電圧を提供し、LCDは快速グレースケール転換の目的を達成し、それぞれ予定電圧とデータ電圧を提供し、LCDを素早く駆動し、その映像グレースケールの反応速度を速くすることができ、
ディスプレーパネルのゲート線区域空間は複数区域に分割され、この複数区域に対応し、フレーム間隔時間は複数の補助間隔に分割され、同時制御信号時間内において、順番にそれぞれ各区域に対して走査を行い、時間と空間上共に”frame in frame”の状況を形成し、各式LCD及びOLEDディスプレーに適用可能であることを特徴とする映像グレースケール反応速度を速める方法である。
【発明の効果】
【０００７】
上記のように、本発明はOver drive技術によりLCDの明度表示時間を短縮し、映像グレースケール反応の速度を速めることができる。さらに、ゲートコントローラによりLCDパネル空間を複数の走査区に区分し、Over drive技術を運用し、同時に各走査区において予定電圧値或いはデータ電圧を提供し、パネルの反応速度を迅速化し、必要とする明度を迅速に達成することができる。また、LCDパネルを区画する以外に、各走査区の比率はパネルの特性に応じて調整及び固定することができ、各種のディスプレーパネルに適用することができ、産業上の利用価値が極めて高い。
【発明を実施するための最良の形態】
【０００８】
図３が示すように、異なる電圧V1、V2、V3、V4によりLCDパネルを駆動し、各種電圧下で、各映像明度の時間に対する連続変化曲線は21,22,23,24に示す。この曲線変化データを対照表(Lookup table)にし、パネル明度を駆動する予定電圧を設定する際の依拠とし、これによりLCDは迅速に表示しようとする明度に到達する。
【０００９】
第一実施例
本発明の技術の特徴を明確に表現するために、先ずLCDのゲート線を２区画に区分し、同時に２本の走査信号を伝送する実施例により説明する。
図４はディスプレーパネル40上のゲート線位置の画素の出力駆動電圧波形及び明度変化曲線(a)(b)を示す。その横軸は時間を示し、単位はmsである。そのフレーム間隔時間はTで、二補助間隔t1,t2に区分し、t1：t2=1：1である。次に図５に示すように、このディスプレーパネル40上においてゲート線を２区画M1,M2に区分するよう設定し、第一区のゲート線数はmで、第二区のゲート線数もmである。総ゲート線数は2mであるため、この２区のゲート線数比率は1：1である。
連続影像データが一つ前のフレーム間隔(Frame N-1)の表示しようとする明度code 32からフレーム間隔(Frame N)データ明度code 120に入ると仮定する。code120により駆動し得られる明度変化曲線は(a)に示す。該明度変化が表示しようとする明度に迅速に到達することができないなら、加速駆動の目的を達成するために、対照表(LUT)中よりある予定電圧code 200を選択し、ディスプレーパネル 40を駆動する。その明度変化は(b)に示す。
本発明の実施方法は以下の通りである。
第一補助間隔t1内において、ゲートコントローラ 41は同時に二ゲート線をディスプレーパネル40上において起動し、第一区M1の第一ゲート線G1においてフレーム間隔Nに駆動を加速する予定電圧code 200を提供する。第二区M2の第一ゲート線Gm+1において前のフレーム間隔N-1にデータ電圧code32を提供し、続いて、同時に各区の次のゲート線を起動し、前のゲート線と同一の電圧値を提供する。つまり同一区のゲート線には各区の走査を完了するまで同一の電圧値を提供する。
第二補助間隔t2時に入る時、ゲートコントローラ 41は同時に二ゲート線をディスプレーパネル40上において起動する。並びに、第一区M1の第一ゲート線G1において明度を維持するフレーム間隔Nデータ電圧code120を提供する。第二区M2の第一ゲート線Gm+1において元のフレームの予定電圧code200を提供する。続いて、同時に各区の次のゲート線を起動し、各区の走査を完了するまで前のゲート線と同一の電圧値を提供する。
ここで、本実施例空間の第一区M1と第二区M2が映像走査を完了する状況について以下に説明する。第一区M1のゲート線について言えば、t1時間である時、元々のフレーム間隔N予定電圧code200の駆動を受け、必要とする明度を達成し、t2時間である時には、フレーム間隔Nのデータ電圧code120の駆動を受け、フレーム間隔Nが表示しようとする明度を維持する。そのため、第一区M1はフレーム間隔時間T内において、必要とする明度に迅速に到達することができる、データ電圧に基づき該明度は維持される。
次に、第二区M2のゲート線について言えば、t1時間である時、前のフレーム間隔N-1のデータ電圧code32の駆動を受け、前のフレームの明度を表示する。t2時間である時には、フレーム間隔Nの予定電圧code200の駆動を受ける。第二区M2が表示しようとする影像と第一区M1が示す時間差は1/2Tで、続いて第一区M1の後もまた迅速に必要とする明度に到達し、フレーム間隔Nのデータ電圧に基づき、表示しようとする明度を維持する。
上記実施例の同時信号が二ゲート線を起動し二ゲート線を表示する間にはある時間差があるが、実施時には，同時に各走査区域内複数本のゲート線の駆動を起動することもできる。図７に示すように、第一補助間隔t1内において、ゲートコントローラ 41は同時に同一走査区内において二ゲート線をディスプレーパネル40上において起動する。すなわち、第一区M1の第一ゲート線G1及び第二ゲート線G2において同時にフレーム間隔Nの加速駆動の予定電圧code 200を提供する。並びに、ある時間差後、第二区M2の第一ゲート線Gm+1及び第二ゲート線Gm+2は同時に前のフレーム間隔N-1のデータ電圧code32を提供し、続いて同時に各区の次の２本のゲート線を起動する。並びに同一区のゲート線において、各区の走査が完了するまで同一の電圧値を提供する。次の補助間隔時間に入った後も同様で、このように、快速グレースケール転換の目的を達成することができる。
以上各区のゲート線数と総ゲート線数の比率はt1とt2の時間を決定する。もし液晶分子の反応速度が速いなら、この比率は縮小し、反対ならこの比率は拡大する。液晶分子が表示しようとする明度に到達する時間を延ばし、この値は調整でき、また固定できる。ディスプレーパネルの特性により決定する。
【００１０】
第二実施例
第二実施例はゲート線を3区に区分し、同時に３本の走査信号を制御するとして説明する。図８はディスプレーパネル50上のゲート線位置の画素の出力駆動電圧波形及び明度変化曲線を示す。その横軸は時間を示し、単位はmsで、フレーム間隔時間はTで、二補助間隔t1,t2,t3，t1：t2：t3=1：1：1に区分する。さらに、図９に示すように、このディスプレーパネル 50上においてゲート線を三区M1,M2,M3に設定する。仮に第一区のゲート線数をm、第二区のゲート線数をmとし、第三区のゲート線数もm、総ゲート線数を3mとすると、二区のゲート線数比率は1：1：1である。
図８に示すように、連続映像データが一つ前のフレーム間隔(Frame N-1)が表示しようとする明度code 32からフレーム間隔(Frame N)データが表示しようとする明度code 120に入ると仮定すると、ディスプレーは予め設定されたデータ電圧によりパネルを駆動され、すなわちcode120によりディスプレーを駆動する。得られた明度変化曲線は(a)に示す。該明度変化は表示しようとする明度に迅速に到達することはできない。よって加速駆動の目的を達成するために、対照表(LUT)中より予定電圧code 200を選択し、ディスプレーパネル 50を駆動する。その明度変化は(b)に示す。
本発明の実施方法は以下の通りである。
第一補助間隔t1において、ゲートコントローラ 51は同時に３本のゲート線G1,Gm+1,G2m+1をディスプレーパネル50上において起動し、第一区M1の第一ゲート線G1においてフレーム間隔Nの加速駆動の予定電圧code 200を提供する。その他の二区M2,M3の第一ゲート線Gm+1,G2m+1において前のフレーム間隔N-1のデータ電圧code32を提供し、続いて、同時に各区の次のゲート線を起動し、前のゲート線と同一の電圧値を提供する。つまり同一区のゲート線には各区の走査を完了するまで同一の電圧値を提供する。
第二補助間隔t2時に入る時、ゲートコントローラ51は同時に三ゲート線をディスプレーパネル50上において起動する。並びに、第一区M 1はフレーム間隔Nのデータ電圧code120を提供し、第二区M2はフレーム間隔Nの予定電圧code200を提供し、第三区M3はフレーム間隔N-1のデータ電圧code32を維持し、各区の走査を完了するまで、順番に同時制御信号時間内において各区のゲート線を起動する。
第三補助間隔t3時に入る時、各区の走査を完了するまで、第一区M1のゲート線はフレーム間隔Nのデータ電圧code120を提供し、第二区M2のゲート線はフレーム間隔Nのデータ電圧code120を提供し、第三区M3のゲート線はフレーム間隔Nの予定電圧code200を提供する。
ここで、本実施例空間のM1、M2及びM3がそれぞれ映像走査を完了する状況について以下に説明する。第一区M1のゲート線について言えば、t1時間である時、元々のフレーム間隔Nの予定電圧code 120の駆動を受け、t2とt3t補助間隔時間である時には、フレーム間隔Nのデータ電圧code120を提供する。よって、表示しようとする明度に迅速に到達することができ、データ電圧に基づきその必要とする明度を維持する。
第二区M2のゲート線について言えば、t1補助間隔時間である時、前のフレーム間隔N-1のデータ電圧code 32を提供し、t2時間である時には、フレーム間隔Nの予定電圧code 200を提供する。t3時間である時には、データ電圧code 120を提供する。それが完成する映像走査と第一区M1はある時間差t2を示し、映像走査を続け完成することができる。
さらに、第三区M3のゲート線について言えば、t1、t2の補助間隔時間である時、前のフレーム間隔N-1のデータ電圧code 32を提供し、t3時間である時には、フレーム間隔Nの予定電圧code 200を提供する。それが完成する映像走査と第二区M2はある時間差t３を示し、続いて表示しようとする明度への迅速な到達を完成することができ、データ電圧に基づき該明度を維持する。
【００１１】
上記二実施例から類推されるように、本発明は同時にM組ゲート線の起動に適用し、LCDの走査区域区分をM区とし、発明の目的を達成することができる。その方法は以下の通りである。
a. LCD駆動ゲート線を上から下へとM区に区分し、その総ゲート線数をQ本とする。第一区が含むゲート線数はm1本で、第二区はm2本…第M区はmM本のゲート線を含む。すなわち、
2005321701.tif 000010
で、各区が含むゲート線の数（mi）と総ゲート線数（Q）間の比率は
2005321701.tif 000011
である。よって
2005321701.tif 000012
で、該比率piはLCDの特性に基づき設定し、固定値、或いは調整可能に設定することができる。該Mは2の整数以上で、ディスプレーパネルが生じることができる同時制御信号の最大値以下である。
b. M区ゲート線に対応し、LCDのフレーム間隔時間TはM個補助間隔に区分される。各補助間隔の間隔時間はそれぞれ
2005321701.tif 000013
、すなわち
2005321701.tif 000014
である。
c. 同時制御信号の時間内において、順番に第一区、第二区…及び第M区の第一ゲート線を起動し、続いて次の同時制御信号の時間内において、順番に第一区、第二区…及び第M区の第二ゲート線を起動する。このステップを繰り返す。K組ゲート線はフレーム加速駆動の予定電圧を提供し、その反応を加速し、J組ゲート線は影像データのデータ電圧を提供する。K,Jは正の整数で、しかもK+J=Mである。
JとKの数量はLCDの反応特性と関連があり、予め測量、観察したその反応曲線に基づき決定する。第二実施例によるなら、該実施例中のJは１で、Kは２である。予定電圧は予め測定したディスプレーのグレースケール明度変化から求める。
d.フレーム間隔時間T全体が終了し、次のフレーム間隔に入るまで上記ステップを繰り返す。その内、第i区の走査完成のフレーム映像は前の区(第i-1区)フレーム映像との距離 ti の時間位相差である。
上述のステップにより、時間（フレーム間隔時間）と空間（ゲート線）の分割を通して、並びにそれぞれ予定電圧とデータ電圧を提供し、これによりLCDはグレースケール反応速度向上の目的を達成する。現在の技術水準について言えば、Mの望ましい数は2から6の間で、また同時制御信号も各走査区内の複数のゲート線を同時に起動することができる。該ゲート線の数の範囲は2から第一区のゲート線数の間、或いはLCDは同時に全てのゲート線を起動されるか、或いはダブル方式で走査を行うこともできる。本発明の駆動方法は各式LCD、主動アレイ式LCD及びOLEDディスプレーに適用可能である。
【図面の簡単な説明】
【００１２】
【図１】LCDの簡単な構造指示図である。
【図２】図１の局部拡大指示図である。
【図３】各種異なる駆動電圧下での、映像明度の時間に対する変化曲線図である。
【図４】本発明がゲート線を２区画に区分し、同時に２本のゲート線を制御する時の電圧変化と明度変化曲線の第一実施例の指示図である。
【図５】本発明が第一時間及び第二時間(t1時間内)において、ディスプレーパネルにおける２本のゲート線を同時に制御する第一実施例の指示図である。
【図６】本発明が第1/2T時間(t1時間内)及び第1/2T+1時間(t2時間内)において、ディスプレーパネルにおける２本のゲート線を同時に制御する第一実施例の指示図である。
【図７】本発明が第一時間及び第二時間(t1時間内)において、同一走査区域内においてディスプレーパネルにおける２本のゲート線を同時に起動する第一実施例の指示図である。
【図８】本発明がゲート線を３区画に区分し、３本のゲート線の伝送を同時に制御する時の、電圧変化と明度変化曲線の第二実施例の指示図である。
【図９】本発明が第一時間及び第二時間時(t1時間内)において、ディスプレーパネルにおける３本のゲート線の伝送を同時に制御する第二実施例の指示図である。
【図１０】本発明が第1/3T時間(t1時間内)及び第1/3T+1時間(t2時間内)において、ディスプレーパネルにおける３本のゲート線を同時に制御する第二実施例の指示図である。
【符号の説明】
【００１３】
１０  ディスプレーパネル
１１  データコントローラ
１１１  データ線
１２  ゲートコントローラ
１２１  ゲート線
１３  画素アレイ
２１、２２、２３、２４、２５  異なる電圧が対応する異なる明度変化曲線
４０、５０  ディスプレーパネル
４１、５１  ゲートコントローラ
【図１】
2005321701.tif 000020
【図２】
2005321701.tif 000021
【図３】
2005321701.tif 000022
【図４】
2005321701.tif 000023
【図５】
2005321701.tif 000024
【図６】
2005321701.tif 000025
【図７】
2005321701.tif 000026
【図８】
2005321701.tif 000027
【図９】
2005321701.tif 000028
【図１０】
2005321701.tif 000029